(57)【特許請求の範囲】
【請求項１】
上枠、下枠、および左右の縦枠を有する窓枠と、この窓枠内に開閉自在に支持される室内外一対の障子とを備えた建具であって、
前記上枠には、前記一対の障子をそれぞれ案内する室内側上枠レールおよび室外側上枠レールが設けられ、前記障子の上部には、前記上枠レールに案内されて当該障子を見込み方向に位置規制する摺動部材が取り付けられており、
前記室内側上枠レールおよび室外側上枠レールのうちの少なくとも一方は、下方に延びる板状のレール本体部、および前記レール本体部の下端縁に連続して室内側に膨出した膨出部を有して形成された第１レール形態で構成され、
前記摺動部材は、室外側に設けられた第１摺接部と、この第１摺接部よりも室内側に設けられた第２摺接部とを有して形成され、
前記第１レール形態を選択して構成された前記室内側上枠レールおよび／または室外側上枠レールにおいて、前記レール本体部の室外側側面と前記摺動部材の第１摺接部とが摺接され、かつ前記膨出部の室内端と前記摺動部材の第２摺接部とが摺接され、
前記室内側上枠レールおよび室外側上枠レールのうちの他方が前記膨出部を有さずに全体略板状の板状レール部を有して形成された第２レール形態で構成された場合において、前記板状レール部の室内側面および室外側側面の少なくとも一方に沿って樹脂面部が設けられるとともに、前記板状レール部の室外側側面または当該室外側側面に設けられた樹脂面部と前記摺動部材の第１摺接部とが摺接され、かつ前記板状レール部の室内側側面に設けられた樹脂面部または当該板状レール部の室内側側面と前記摺動部材の第２摺接部とが摺接される建具。
【請求項２】
（Ａ）室外側上枠レールとして前記第１レール形態を選択し、かつ前記室内側上枠レールとして前記第２レール形態を選択して構成された上枠と、
（Ｂ）室内側上枠レールおよび室外側上枠レールとして前記第１レール形態を選択して構成された上枠と、
（ａ）前記第２レール形態における板状レール部の室内側側面に沿う樹脂面部を有した樹脂部材と、
（ｂ）前記第２レール形態における板状レール部の室外側側面に沿う樹脂面部を有した樹脂部材と、
（ｃ）前記第２レール形態における板状レール部の室内外両側側面に沿う樹脂面部を有した樹脂部材と、
（ｄ）前記第１レール形態における膨出部よりも上側かつレール本体部の室内側側面に沿う樹脂面部を有した樹脂部材とのうち、
（Ａ）および（Ｂ）の少なくともいずれか一方の上枠と、（ａ）〜（ｄ）の少なくともいずれか１つの樹脂部材とが予め用意され、
前記窓枠は、
前記（ａ）の樹脂部材を取り付けた前記（Ａ）の上枠を有して構成されるタイプ、
前記（ｂ）の樹脂部材を取り付けた前記（Ａ）の上枠を有して構成されるタイプ、
前記（ｃ）の樹脂部材を取り付けた前記（Ａ）の上枠を有して構成されるタイプ、
前記（ａ）および（ｂ）の樹脂部材を取り付けた前記（Ａ）の上枠を有して構成されるタイプ、
前記（ａ）および（ｄ）の樹脂部材を取り付けた前記（Ａ）の上枠を有して構成されるタイプ、
前記（ｂ）および（ｄ）の樹脂部材を取り付けた前記（Ａ）の上枠を有して構成されるタイプ、
前記（ｃ）および（ｄ）の樹脂部材を取り付けた前記（Ａ）の上枠を有して構成されるタイプ、
前記（ａ）、（ｂ）および（ｄ）の樹脂部材を取り付けた前記（Ａ）の上枠を有して構成されるタイプ、
前記（ｄ）の樹脂部材を前記室内側上枠レールの室内側に取り付けた前記（Ｂ）の上枠を有して構成されるタイプ、
前記（ｄ）の樹脂部材を前記室内側上枠レールおよび室外側上枠レール各々の室内側に取り付けた前記（Ｂ）の上枠を有して構成されるタイプ、または
前記（ａ）から（ｄ）のいずれの樹脂部材も取り付けない前記（Ｂ）の上枠を有して構成されるタイプのうち、少なくとも２種類の中から選択されたタイプである請求項１に記載の建具。
【発明の詳細な説明】
【技術分野】
【０００１】
本発明は、建具に関し、詳しくは、窓枠内に開閉自在に支持される障子を備えた引違い窓や片引き窓等の建具に関する。
【背景技術】
【０００２】
引違い窓等のサッシ窓（建具）において、通常、窓枠や障子の框材は、アルミ形材等の金属材料から構成されている。一方、金属製の窓枠等では、特に冬場において、室内外の温度差によって室内面に結露が発生することがあるため、窓枠や框材における室内外の金属部材同士を樹脂製の断熱部材で連結して枠材自体の断熱性能を高めたり、結露が発生しやすい部位を樹脂製カバー部材で覆ったりして、室内外の温度差の影響を受けにくくした断熱サッシが提案されている（例えば、特許文献１参照）。
特許文献１に記載された建具では、例えば上枠において、室内外の障子を案内する室内側および室外側それぞれのレールの室内側側面（または室外側側面）に沿って、樹脂製の断熱カバーが設けられている。そして、障子の上部（上框または縦框の上端）には、上枠のレールおよび断熱カバーを室内外から挟む摺動片が設けられ、この摺動片がレールおよび断熱カバーに摺動して案内されることで、障子が見込み方向に移動規制された状態で開閉移動できるようになっている。
【０００３】
【特許文献１】特開２０００−１６０９４０号公報
【発明の開示】
【発明が解決しようとする課題】
【０００４】
しかしながら、前記特許文献１に記載されたような従来の建具では、上枠において断熱カバーを含んだレールの見込み寸法（厚さ寸法）に合わせて摺動片を製作する必要があり、断熱カバーの形状に応じて専用の摺動片を用意するために部品点数が増大してしまうという問題がある。すなわち、例えば特許文献１では、室内外のレールで断熱カバーの形態や取り付け構造が異なっているため、室内外のレールそれぞれに対して開口寸法が異なる少なくとも２種類の摺動片が必要になってしまう。さらには、建具の製品バリエーションとして、断熱カバーを設けないものや、室内側のレール（または室外側のレール）のみに断熱カバーを設けるものなどがある場合には、断熱カバーを設けないレールの厚さ寸法に対応した開口寸法の摺動片も必要になってしまい、さらに部品点数が増加してしまう。
【０００５】
本発明の目的は、部品点数を削減しつつ多様な製品バリエーションに対応可能な建具を提供することにある。
【課題を解決するための手段】
【０００６】
本発明の建具は、上枠、下枠、および左右の縦枠を有する窓枠と、この窓枠内に開閉自在に支持される室内外一対の障子とを備えた建具であって、前記上枠には、前記一対の障子をそれぞれ案内する室内側上枠レールおよび室外側上枠レールが設けられ、前記障子の上部には、前記上枠レールに案内されて当該障子を見込み方向に位置規制する摺動部材が取り付けられており、前記室内側上枠レールおよび室外側上枠レールのうちの少なくとも一方は、下方に延びる板状のレール本体部、および前記レール本体部の下端縁に連続して室内側に膨出した膨出部を有して形成された第１レール形態で構成され、前記摺動部材は、室外側に設けられた第１摺接部と、この第１摺接部よりも室内側に設けられた第２摺接部とを有して形成され、前記第１レール形態を選択して構成された前記室内側上枠レールおよび／または室外側上枠レールにおいて、前記レール本体部の室外側側面と前記摺動部材の第１摺接部とが摺接され、かつ前記膨出部の室内端と前記摺動部材の第２摺接部とが摺接され、前記室内側上枠レールおよび室外側上枠レールのうちの他方が前記膨出部を有さずに全体略板状の板状レール部を有して形成された第２レール形態で構成された場合において、前記板状レール部の室内側面および室外側側面の少なくとも一方に沿って樹脂面部が設けられるとともに、前記板状レール部の室外側側面または当該室外側側面に設けられた樹脂面部と前記摺動部材の第１摺接部とが摺接され、かつ前記板状レール部の室内側側面に設けられた樹脂面部または当該板状レール部の室内側側面と前記摺動部材の第２摺接部とが摺接されることを特徴とする。
【０００７】
ここで、本発明の建具としては、引違い窓等の障子がスライド開閉されるタイプの窓や出入り口が好適であり、障子が２枚あるいは３枚以上の両袖片引き窓や引違い窓、引分け窓などであってもよい。そして、上枠レールは、建具の開閉形式や障子の枚数に応じて任意の数だけあればよい。
【０００８】
以上の本発明によれば、上枠レールに膨出部を形成するとともに、摺動部材の第１摺接部をレール本体部の室外側側面に摺接させ、かつ第２摺接部を膨出部室内端に摺接させる、すなわち第１摺接部と第２摺接部との間隔寸法（開口部の見込み寸法）がレール本体部の厚さ寸法よりも大きくなるように摺動部材を形成したことで、前記上枠レールのレール本体部の室内側側面に断熱性の樹脂部材を取り付けたとしても、開口寸法を変更することなく共通の摺動部材を用いることができる。また、例えば、前記膨出部を有した上枠レールとは別のレールとして、膨出部を有さずに室内側側面や室外側側面に沿って樹脂部材が設けられたレールを上枠に設けた場合でも、この樹脂部材を含んだレールの厚さ寸法と前記膨出部を含んだ上枠レールの見込み寸法とを略同一に揃えておくだけで、共通の摺動部材が適用できる。
従って、樹脂部材の有無や形態に関わらず摺動部材を共通化することが可能になって部品点数を削減することができる。さらに、樹脂部材が設けられた建具や、樹脂部材が設けられていない建具、あるいは複数のレールのうちのいずれかに樹脂部材が設けられた建具など、様々な製品バリエーションを有した各種建具に対しても、共通の摺動部材を用いることで対応することができる。
【００１２】
また、室内側上枠レールおよび室外側上枠レールの両方に第１レール形態を適用した場合、室内側上枠レールおよび室外側上枠レールの少なくとも一方に第１レール形態を適用して他方に第２レール形態を適用した場合、のいずれの場合であっても、室内側障子および室外側障子の上部に設ける摺動部材を共通化することができる。この際、第２レール形態を適用した上枠レールと、この上枠レールに設ける樹脂面部とを合わせた見込み寸法が、第１レール形態を適用した上枠レールにおける膨出部を含んだ見込み寸法と略同一に設定されていればよい。
従って、樹脂部材の有無や形態に関わらず摺動部材を共通化することが可能になって部品点数を削減することができる。さらに、樹脂部材が設けられた建具や、樹脂部材が設けられていない建具、あるいは複数のレールのうちのいずれに樹脂部材が設けられた建具など、様々な製品バリエーションを有した建具としての引違い窓や四枚建ての窓等に対しても、共通の摺動部材を用いることで対応することができる。
【００１３】
この際、本発明の建具では、（Ａ）室外側上枠レールとして前記第１レール形態を選択し、かつ前記室内側上枠レールとして前記第２レール形態を選択して構成された上枠と、（Ｂ）室内側上枠レールおよび室外側上枠レールとして前記第１レール形態を選択して構成された上枠と、（ａ）前記第２レール形態における板状レール部の室内側側面に沿う樹脂面部を有した樹脂部材と、（ｂ）前記第２レール形態における板状レール部の室外側側面に沿う樹脂面部を有した樹脂部材と、（ｃ）前記第２レール形態における板状レール部の室内外両側側面に沿う樹脂面部を有した樹脂部材と、（ｄ）前記第１レール形態における膨出部よりも上側かつレール本体部の室内側側面に沿う樹脂面部を有した樹脂部材とのうち、（Ａ）および（Ｂ）の少なくともいずれか一方の上枠と、（ａ）〜（ｄ）の少なくともいずれか１つの樹脂部材とが予め用意され、前記窓枠は、前記（ａ）の樹脂部材を取り付けた前記（Ａ）の上枠を有して構成されるタイプ、前記（ｂ）の樹脂部材を取り付けた前記（Ａ）の上枠を有して構成されるタイプ、前記（ｃ）の樹脂部材を取り付けた前記（Ａ）の上枠を有して構成されるタイプ、前記（ａ）および（ｂ）の樹脂部材を取り付けた前記（Ａ）の上枠を有して構成されるタイプ、前記（ａ）および（ｄ）の樹脂部材を取り付けた前記（Ａ）の上枠を有して構成されるタイプ、前記（ｂ）および（ｄ）の樹脂部材を取り付けた前記（Ａ）の上枠を有して構成されるタイプ、前記（ｃ）および（ｄ）の樹脂部材を取り付けた前記（Ａ）の上枠を有して構成されるタイプ、前記（ａ）、（ｂ）および（ｄ）の樹脂部材を取り付けた前記（Ａ）の上枠を有して構成されるタイプ、前記（ｄ）の樹脂部材を前記室内側上枠レールの室内側に取り付けた前記（Ｂ）の上枠を有して構成されるタイプ、前記（ｄ）の樹脂部材を前記室内側上枠レールおよび室外側上枠レール各々の室内側に取り付けた前記（Ｂ）の上枠を有して構成されるタイプ、または前記（ａ）から（ｄ）のいずれの樹脂部材も取り付けない前記（Ｂ）の上枠を有して構成されるタイプのうち、少なくとも２種類の中から選択されたタイプであることが好ましい。
【００１４】
このような構成によれば、（Ａ）および（Ｂ）の少なくともいずれか一方の上枠と、（ａ）〜（ｄ）の少なくともいずれか１つの樹脂部材とを用意しておき、これらを適宜選択することで、多様なバリエーションの建具を簡単に構成することができるとともに、いずれのバリエーションを選択した場合でも、共通の摺動部材を利用することができる。すなわち、窓枠のタイプが異なる複数バリエーションの建具間において、例えば、室内側障子同士の摺動部材や室外側障子同士の摺動部材を共通化する、あるいは室内側障子および室外側障子の全ての摺動部材同士を共通化することができる。さらには、複数バリエーションの建具間において、摺動部材を含んだ室内側障子同士を共通化し、摺動部材を含んだ室外側障子同士を共通化することも可能になる。また、ある１つのバリエーションの建具において、室内側障子の摺動部材と室外側障子の摺動部材とを共通化したり、室内側障子や室外側障子において、戸先框側の摺動部材と召合せ框側の摺動部材とを共通化したりすることも可能である。
【発明を実施するための最良の形態】
【００１５】
以下、本発明の実施形態を図面に基づいて説明する。
図１は、本発明の実施形態に係る建具である引違い窓１を示す縦断面図である。図２は、引違い窓１を示す横断面図である。図３は、引違い窓１の上枠１１を拡大して示す縦断面図である。図４(Ａ)，(Ｂ)は、それぞれ引違い窓１の障子２０に設けられる摺動部材３０を示す断面図および平面図である。
図１および図２において、引違い窓１は、戸建て住宅等の建物の外壁開口部に設けられて建物の室内空間と室外空間とを仕切る建具である。
【００１６】
引違い窓１は、上枠１１、下枠１２、および左右の縦枠１３を四周枠組みした窓枠１０と、この窓枠１０の内側に左右スライド開閉自在に支持された室内外一対の障子２０（室内側障子２０Ａおよび室外側障子２０Ｂ）と、障子２０の室外側に開閉自在に支持された網戸２８とを備えて構成されている。上枠１１および下枠１２は、それぞれアルミ形材製の室内部材１１Ａ，１２Ａおよび室外部材１１Ｂ，１２Ｂと、これらを連結する樹脂製の断熱部材１１Ｃ，１２Ｃとを有して構成されている。縦枠１３は、アルミ形材製の縦枠本体１３Ａと、この縦枠本体１３Ａの室内側露出面を覆って取り付けられた樹脂製のカバー材１３Ｂとを有して構成されている。すなわち、窓枠１０は、室内外の温度差が伝達されにくく室内面に発生する結露を抑制可能な断熱窓枠である。また、下枠１２には、室内外の障子２０Ａ，２０Ｂをそれぞれ案内する室内外の下枠レール１２１が形成されている。
【００１７】
障子２０は、上框２１、下框２２、および左右の縦框２３，２４（または縦框２５，２６）を四周框組みした内部に、ガラスパネル（複層ガラス）２７を嵌め込んで構成されている。室内外の障子２０Ａ，２０Ｂは、それぞれ戸先框である縦框２３，２６を縦枠１３に当接するとともに、召合せ框である縦框２４，２５が見込み方向に重なって閉じるようになっている。上框２１および下框２２は、それぞれアルミ形材製の上框本体２１Ａおよび下框本体２２Ａと、この上框本体２１Ａおよび下框本体２２Ａの室内側露出面を覆って取り付けられた樹脂製の室内部材２１Ｂ，２２Ｂとを有して構成されている。縦框２３，２４，２６は、それぞれアルミ形材製の縦框本体２３Ａ，２４Ａ，２６Ａと、この縦框本体２３Ａ，２４Ａ，２６Ａの室内側露出面を覆って取り付けられた樹脂製の室内部材２３Ｂ，２４Ｂ，２６Ｂとを有して構成されている。また、縦框２３，２６には、障子２０を開閉操作するためのハンドル２３Ｃ，２６Ｃが固定され、縦框２４，２５には、互いに係合して障子２０を施錠するためのクレセント錠２４Ｃおよび錠受け２５Ａが固定されている。そして、下框２２には、下枠レール１２１に案内され転動する戸車２２１が設けられている。
【００１８】
図３に示すように、上枠１１には、室内側障子２０Ａを案内する室内側上枠レール１１０と、室外の障子２０Ｂを案内する室外側上枠レール１１２とが形成されている。
室内側上枠レール１１０は、室内部材１１Ａの室外側端部から下方に延びる全体略板状の板状レール部１１１を有して形成され、すなわち、室内側上枠レール１１０は、第２レール形態を選択して構成されたレールである。そして、板状レール部１１１よりも室内側には、断熱性を有した第１樹脂部材１４が室内部材１１Ａの下側である室内露出面を覆って取り付けられている。この第１樹脂部材１４は、板状レール部１１１の室内側側面に沿う樹脂面部１４１を有して形成され、すなわち、第１樹脂部材１４は（ａ）の樹脂部材であり、この樹脂面部１４１と板状レール部１１１とで室内側上枠レール１１０が構成されている。そして、板状レール部１１１と樹脂面部１４１とを合わせた厚さが所定の見込み寸法になるように設定されている。
【００１９】
室外側上枠レール１１２は、室外部材１１Ｂから下方に延びる板状のレール本体部１１３と、レール本体部１１３の下端縁に連続して室内側に膨出した膨出部１１４とを有して形成され、すなわち、室外側上枠レール１１２は、第１レール形態を選択して構成されたレールである。膨出部１１４位置における室外側上枠レール１１２の見込み寸法は、室内側上枠レール１１０の見込み寸法（板状レール部１１１と樹脂面部１４１とを合わせた見込み寸法）と略同一になるように設定されている。そして、室内側上枠レール１１０と室外側上枠レール１１２との間には、室外部材１１Ｂおよび断熱部材１１Ｃの下側である室内露出面を覆う中間樹脂部材１５が取り付けられている。
以上の上枠１１は、室外側上枠レール１１２として第１レール形態を選択し、かつ室内側上枠レール１１０として第２レール形態を選択した（Ａ）の上枠１１に、（ａ）の樹脂部材である第１樹脂部材１４を取り付けて構成されたものである。
【００２０】
一方、障子２０における縦框２３，２４，２５，２６の上端部には、室内側上枠レール１１０または室外側上枠レール１１２に案内される摺動部材（摺動片）３０が取り付けられている。この摺動部材３０は、図４にも示すように、縦框２３，２４，２５，２６に圧入、固定される圧入部３１と、上方に開口した開口部３２と、開口部３２の室外側に位置する第１摺接部３３と、開口部３２の室内側に位置する第２摺接部３４とを有して形成されている。また、摺動部材３０の開口部３２内部には、室内外に対向する室内側側壁部３５および室外側側壁部３６が形成されている。圧入部３１は、縦框２３，２４，２５，２６の上端部開口よりも若干拡がって形成されており、圧入した際に縦框２３，２４，２５，２６を外側に押圧して圧入部３１が内側に撓み、つまり第１および第２の摺接部３３，３４同士が近づくように変形することで、縦框２３，２４，２５，２６に摺動部材３０が強固に固定される。さらに、摺動部材３０は、縦框２３，２４，２５，２６の見付け方向外側から螺合するビスによって移動不能に固定されるようになっている。そして、障子２０を窓枠１０に建て込んだ状態において、摺動部材３０における第１摺接部３３の下方には、室内側側壁部３５および室外側側壁部３６に囲まれるとともに、室内側上枠レール１１０または室外側上枠レール１１２のレール本体部１１３よりも室外側、かつ第１樹脂部材１４の樹脂面部１４１または室外側上枠レール１１２の膨出部１１４よりも下方に拡がる空間部３７が形成されるようになっている。
【００２１】
第１摺接部３３は、摺動部材３０の上端位置において水平方向に延び、かつ室外側側壁部３６よりも室内側に突出して形成されている。第２摺接部３４は、第１摺接部３３に対向して上下に延び、かつ室内側側壁部３５から室外側に突出して形成されている。これらの第１摺接部３３と第２摺接部３４との間隔寸法（図４(Ｂ)における寸法Ａ）は、摺動部材３０を縦框２３，２４，２５，２６に固定した状態において、上枠１１の室内側上枠レール１１０の見込み寸法（板状レール部１１１と樹脂面部１４１とを合わせた見込み寸法）、および膨出部１１４位置における室外側上枠レール１１２の見込み寸法よりも若干大きく設定されている。そして、室内側障子２０Ａにおいて、摺動部材３０における第１摺接部３３は、室内側上枠レール１１０の室外側側面（板状レール部１１１の室外側側面）に摺接可能、かつ、第２摺接部３４は、室内側上枠レール１１０の室内側側面（第１樹脂部材１４の樹脂面部１４１の室内側側面）に摺接可能になっている。一方、室外側障子２０Ｂにおいて、摺動部材３０における第１摺接部３３は、室外側上枠レール１１２のレール本体部１１３の室外側側面に摺接可能かつ、第２摺接部３４は、膨出部１１４の室内端に摺接可能になっている。従って、障子２０は、その上部（上框２１および縦框２３，２４，２５，２６の上端部）が見込み方向に位置規制された状態で左右スライド開閉可能になっている。そして、上框２１室外側上端縁には、室内側に向かって突出した気密材２１１が取り付けられており、摺動部材３０によって見込み方向に位置規制された状態において、気密材２１１が室内側上枠レール１１０の板状レール部１１１の室外側側面および室外側上枠レール１１２のレール本体部１１３の室外側側面にそれぞれ摺接可能になっている。
【００２２】
以上のような摺動部材３０は、上述した上枠１１に限らず、以下の図５〜図８に示すような各種の上枠に対応可能である。
図５〜図８は、ぞれぞれ本実施形態の引違い窓１において、各種形態の上枠を用いて窓枠１０を構成した例を示す縦断面図である。
図５において、窓枠１０は、前述した（Ａ）の上枠１１を備えて構成され、室内側上枠レール１１０と室外側上枠レール１１２との間には、前述の中間樹脂部材１５に替えて第２樹脂部材１６が取り付けられている。この第２樹脂部材１６は、上枠１１の室外部材１１Ｂおよび断熱部材１１Ｃの下側である室内露出面を覆って取り付けられるとともに、室外側上枠レール１１２の膨出部１１４よりも上側でレール本体部１１３の室内側側面に沿う樹脂面部１６１を有して形成されている。すなわち、第２樹脂部材１６は（ｄ）の樹脂部材であり、この樹脂面部１６１の室内側側面は、膨出部１１４の室内端と略同一見込み位置または膨出部１１４の室内端よりも室外側に位置するように設定されている。
【００２３】
すなわち、図５の上枠１１は、室外側上枠レール１１２として第１レール形態を選択し、かつ室内側上枠レール１１０として第２レール形態を選択した（Ａ）の上枠１１に、（ａ）の樹脂部材である第１樹脂部材１４および（ｄ）の樹脂部材である第２樹脂部材１６を取り付けて構成されたものである。このような上枠１１を用いて窓枠１０を構成した場合でも、障子２０およびその上部に取り付ける摺動部材３０は、前述した図１〜図４のものと同一の部材を用いることができる。そして、室内側障子２０Ａにおいて、摺動部材３０における第１摺接部３３は、室内側上枠レール１１０の板状レール部１１１の室外側側面に摺接可能、かつ、第２摺接部３４は、室内側上枠レール１１０の樹脂面部１４１の室内側側面に摺接可能になっている。一方、室外側障子２０Ｂにおいて、摺動部材３０における第１摺接部３３は、室外側上枠レール１１２のレール本体部１１３の室外側側面に摺接可能かつ、第２摺接部３４は、膨出部１１４の室内端に摺接可能になっている。
【００２４】
次に、図６において、窓枠１０は、前述した（Ａ）の上枠１１を備えて構成され、室内側上枠レール１１０と室外側上枠レール１１２との間には、前述の中間樹脂部材１５および第２樹脂部材１６に替えて第３樹脂部材１７が取り付けられ、前述の第１樹脂部材１４が省略されている。この第３樹脂部材１７は、上枠１１の室外部材１１Ｂおよび断熱部材１１Ｃの下側である室内露出面を覆って取り付けられるとともに、板状レール部１１１の室外側側面に沿う樹脂面部１７１と、室外側上枠レール１１２の膨出部１１４よりも上側でレール本体部１１３の室内側側面に沿う樹脂面部１７２とを有して形成されている。すなわち、第３樹脂部材１７は（ｂ）および（ｄ）の樹脂部材を兼ねた部材であり、樹脂面部１７１と板状レール部１１１とで室内側上枠レール１１０が構成される。そして、室内側上枠レール１１０の厚さ（板状レール部１１１と樹脂面部１７１とを合わせた厚さ）が所定の見込み寸法になり、かつ樹脂面部１７２の室内側側面が、膨出部１１４の室内端と略同一見込み位置または膨出部１１４の室内端よりも室外側に位置するように設定されている。
【００２５】
すなわち、図６の上枠１１は、室外側上枠レール１１２として第１レール形態を選択し、かつ室内側上枠レール１１０として第２レール形態を選択した（Ａ）の上枠１１に、（ｂ）および（ｄ）の樹脂部材である第３樹脂部材１７を取り付けて構成されたものである。このような上枠１１を用いて窓枠１０を構成した場合でも、障子２０およびその上部に取り付ける摺動部材３０は、前述した図１〜図５のものと同一の部材を用いることができる。そして、室内側障子２０Ａにおいて、摺動部材３０における第１摺接部３３は、室内側上枠レール１１０の樹脂面部１７１の室外側側面に摺接可能、かつ、第２摺接部３４は、室内側上枠レール１１０の板状レール部１１１の室内側側面に摺接可能になっている。一方、室外側障子２０Ｂにおいて、摺動部材３０における第１摺接部３３は、室外側上枠レール１１２のレール本体部１１３の室外側側面に摺接可能かつ、第２摺接部３４は、膨出部１１４の室内端に摺接可能になっている。
【００２６】
次に、図７において、窓枠１０は、前述と略同様の（Ａ）の上枠１１を備えて構成され、板状レール部１１１よりも室内側には、前述の第１樹脂部材１４に替えて第４樹脂部材１８が取り付けられ、板状レール部１１１と室外側上枠レール１１２との間には、前述の第２樹脂部材１６が取り付けられている。この第４樹脂部材１８は、上枠１１の室内部材１１Ａの下側である室内露出面を覆って取り付けられるとともに、板状レール部１１１の室内側側面に沿う樹脂面部１８１と、板状レール部１１１の室外側側面に沿う樹脂面部１８２とを有して形成されている。すなわち、第４樹脂部材１８は（ｃ）の樹脂部材であり、両側の樹脂面部１８１，１８２と板状レール部１１１とで室内側上枠レール１１０が構成されている。そして、室内側上枠レール１１０の厚さ（板状レール部１１１と樹脂面部１８１，１８２とを合わせた厚さ）が所定の見込み寸法になるように設定されている。
【００２７】
すなわち、図７の上枠１１は、室外側上枠レール１１２として第１レール形態を選択し、かつ室内側上枠レール１１０として第２レール形態を選択した（Ａ）の上枠１１に、（ｃ）の樹脂部材である第４樹脂部材１８を取り付けて構成されたものである。このような上枠１１を用いて窓枠１０を構成した場合でも、障子２０およびその上部に取り付ける摺動部材３０は、前述した図１〜図６のものと同一の部材を用いることができる。そして、室内側障子２０Ａにおいて、摺動部材３０における第１摺接部３３は、室内側上枠レール１１０の樹脂面部１８２の室外側側面に摺接可能、かつ、第２摺接部３４は、室内側上枠レール１１０の樹脂面部１８１の室内側側面に摺接可能になっている。一方、室外側障子２０Ｂにおいて、摺動部材３０における第１摺接部３３は、室外側上枠レール１１２のレール本体部１１３の室外側側面に摺接可能かつ、第２摺接部３４は、膨出部１１４の室内端に摺接可能になっている。
【００２８】
次に、図８において、窓枠１０は、前述した（Ａ）の上枠１１とは異なる上枠１１’を備えて構成され、前述の中間樹脂部材１５および第１〜第４の樹脂部材１４，１６，１７，１８が省略されている。この上枠１１’は、室内側障子２０Ａを案内する室内側上枠レール１１５と、室外の障子２０Ｂを案内する室外側上枠レール１１２とを有して形成されている。室内側上枠レール１１５は、室外側上枠レール１１２と同様に、下方に延びる板状のレール本体部１１６と、レール本体部１１６の下端縁に連続して室内側に膨出した膨出部１１７とを有して形成され、すなわち、室内側上枠レール１１５および室外側上枠レール１１２は、ともに第１レール形態を選択して構成されたレールである。
【００２９】
すなわち、図８の上枠１１’は、室内側上枠レール１１５および室外側上枠レール１１２として第１レール形態を選択した（Ｂ）の上枠１１’を用い、樹脂部材を取り付けないで構成されたものである。このような上枠１１’を用いて窓枠１０を構成した場合でも、障子２０およびその上部に取り付ける摺動部材３０は、前述した図１〜図７のものと同一の部材を用いることができる。そして、室内側障子２０Ａおよび室外側障子２０Ｂにおいて、摺動部材３０における第１摺接部３３は、室内側上枠レール１１５のレール本体部１１６または室外側上枠レール１１２のレール本体部１１３の室外側側面に摺接可能かつ、第２摺接部３４は、室内側上枠レール１１５の膨出部１１７または室外側上枠レール１１２の膨出部１１４の室内端に摺接可能になっている。
【００３０】
なお、上枠および樹脂部材の組み合わせとしては、以上のような上枠１１，１１’および第１〜第４樹脂部材１４，１６，１７，１８の組み合わせに限らず、例えば、上枠１１に第１樹脂部材１４と第３樹脂部材１７とを取り付けたものでもよく、上枠１１’に第２樹脂部材１６を取り付けたものでもよい。また、第３樹脂部材１７から室外側の樹脂面部１７２を省略して室内側の樹脂面部１７１のみを有した（ｂ）の樹脂部材を用意し、上枠１１に取り付けてもよい。さらに、上枠１１’において、室内側上枠レール１１５および室外側上枠レール１１２に対して、それぞれのレール本体部１１６，１１３の室内側側面に樹脂面部を沿わせて樹脂部材を取り付けてもよく、室内側上枠レール１１５および室外側上枠レール１１２のいずれか一方に対して樹脂部材を取り付けてもよい。
【００３１】
このような本実施形態によれば、以下のような効果がある。
（１）すなわち、上枠１１，１１’が第１レール形態の室外側上枠レール１１２、室内側上枠レール１１５を少なくとも１つ有して構成されているので、その膨出部１１４，１１７と、第２レール形態の室内側上枠レール１１０に樹脂面部１４１，１７１，１８１，１８２を沿わせたものとで、見込み寸法を揃えることができ、共通の摺動部材３０を利用することができる。さらに、上枠１１，１１’と第１〜第４樹脂部材１４，１６，１７，１８との組み合わせを変更しても、摺動部材３０および障子２０を共通化できるので、部品点数の増加を抑制しつつ、多様な製品バリエーションの引違い窓１を構成することができる。
【００３２】
（２）そして、引違い窓１の設置条件や設計条件等に応じて、すなわち室内側上枠レール１１０，１１５や室外側上枠レール１１２への結露の発生を防止する場合には、第１〜第４樹脂部材１４，１６，１７，１８を適宜選択する、あるいは結露が発生しにくい場合や結露の発生を許容する場合には、第１〜第４樹脂部材１４，１６，１７，１８を取り付けないことを選択することが可能になり、引違い窓１の設計および製造を合理的に実施することができる。
【００３３】
（３）さらに、第１レール形態の室外側上枠レール１１２および室内側上枠レール１１５における膨出部１１４，１１７が、レール本体部１１３，１１６の下端縁を室内側に膨出させた形状であり、上枠１１，１１’のアルミ形材を押出し成形で製造する際に同時に膨出部１１４，１１７を形成することができ、製造工程が複雑化することなく容易に製造することができる。
【００３４】
（４）また、摺動部材３０において、第１摺接部３３が摺動部材３０の上端に水平に延びて形成され、第２摺接部３４が上下に延びて形成されているので、障子２０の戸車２２１を調整した際に摺動部材３０が上枠１１，１１’の室内側上枠レール１１０，１１５や室外側上枠レール１１２に対して上下に位置変動した場合でも、第１および第２の摺接部３３，３４を各レール１１０，１１２，１１５に確実に摺接させることができる。また、第２摺接部３４の先端が室外側上枠レール１１２や室内側上枠レール１１５の膨出部１１４，１１７の室内端や室内側上枠レール１１０の室内側側面に摺接されるので、その接触面積を小さくして摺接抵抗を低減させることができ、障子２０の開閉操作を円滑に実施することができる。
【００３５】
（５）さらに、摺動部材３０において、第１摺接部３３の下方に空間部３７が形成されているので、障子２０を窓枠１０にけんどん式に建て込む際あるいは取り外す際に、空間部３７に室内側上枠レール１１０，１１５や室外側上枠レール１１２を受け入れることができ、障子２０の建て込み時または取り外し時の作業性を向上させることができる。
【００３６】
なお、本発明は、前記実施形態に限定されるものではなく、本発明の目的を達成できる他の構成等を含み、以下に示すような変形等も本発明に含まれる。
例えば、前記実施形態においては、室内外一対の障子２０を有した引違い窓１を例示して説明したが、本発明の建具はこのような引違い窓１に限られない。すなわち、本発明の建具は、３枚以上の障子を有する３枚建てや４枚建ての引違い窓でもよく、また、前記実施形態における一方の障子が窓枠に固定された片引き窓や袖壁に沿って障子が開閉される片引き窓でもよい。
【００３７】
また、前記実施形態では、上枠を２種類（（Ａ）の上枠１１および（Ｂ）の上枠１１’）用意したが、これに限らず、１種類の上枠（（Ａ）および（Ｂ）のいずれか一方の上枠）を用意しておき、その上枠を用いて窓枠を構成してもよい。また、少なくとも第１レール形態の上枠レールを有した３種類以上の上枠を用意しておいてもよい。
さらに、上枠に取り付ける樹脂部材としては、第１〜第４の樹脂部材１４，１６，１７，１８や中間樹脂部材１５に限らず、他の樹脂部材を用意しておいて上枠に取り付けてもよい。
【００３８】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３９】
【図１】本発明の実施形態に係る建具を示す縦断面図である。
【図２】前記建具を示す横断面図である。
【図３】前記建具の上枠部分を拡大して示す縦断面図である。
【図４】(Ａ)，(Ｂ)は、前記建具の障子に設けられる摺動部材を示す断面図および平面図である。
【図５】前記実施形態の引違い窓における他の形態の上枠を用いた例を示す縦断面図である。
【図６】図１〜図５とは相違する形態の上枠を用いた例を示す縦断面図である。
【図７】図１〜図６とは相違する形態の上枠を用いた例を示す縦断面図である。
【図８】図１〜図７とは相違する形態の上枠を用いた例を示す縦断面図である。
【符号の説明】
【００４０】
１０…窓枠、１１，１１’…上枠、１２…下枠、１３…縦枠、１４，１６，１７，１８…樹脂部材、２０，２０Ａ，２０Ｂ…障子、３０…摺動部材、３３…第１摺接部、３４…第２摺接部、３７…空間部、１１０…第２レール形態の上枠レール、１１１…板状レール部、１１２，１１５…第１レール形態の上枠レール、１１３，１１６…レール本体部、１１４，１１７…膨出部、１４１，１６１，１７１，１７２，１８１，１８２…樹脂面部。
【図１】
0004637740.tif 000002
【図２】
0004637740.tif 000003
【図３】
0004637740.tif 000004
【図４】
0004637740.tif 000005
【図５】
0004637740.tif 000006
【図６】
0004637740.tif 000007
【図７】
0004637740.tif 000008
【図８】
0004637740.tif 000009